(57)【要約】【課題】店舗の繁忙期にあっても、顧客にコーディネート情報を提供するために顧客に操作及び閲覧を許容する端末の利用回転率を向上させる。【解決手段】情報端末は、撮像されたコーディネート画像のコーディネートデータベースへの登録に先だって、当該コーディネート画像を利用することについて、被写体となる者が許諾済みか否かを判定する手段を備え、個々の商品の商品コードとその商品の自店舗及び他店舗での在庫情報とを紐付けして記憶保存する在庫データベースにアクセスし、自店舗在庫画面を表示部に表示し、記憶部に記憶保存されている他店舗での在庫情報の閲覧可否の定義に従い、在庫データベースにアクセスし、他店舗での在庫情報の操作入力部による閲覧指示に応じて選択指定された商品の商品コードに紐付けされているその商品の他店舗での在庫情報を含む他店舗在庫画面を表示部に表示する。【選択図】図３
2011253569.tif 000002
【特許請求の範囲】
【請求項１】
情報を表示するための表示部と、
情報を操作入力するための操作入力部と、
商品である衣類をコーディネートして撮像されたコーディネート画像とこのコーディネート画像中でコーディネートされている衣類の商品コードとを紐付けして記憶保存するコーディネートデータベースにアクセスし、前記表示部に特定の前記コーディネート画像を含むコーディネート画面を表示する処理と、当該コーディネート画像に含まれている特定の商品の前記操作入力部による選択指定を許容する処理と、を実行する手段と、
撮像された前記コーディネート画像の前記コーディネートデータベースへの登録に先だって、当該コーディネート画像を利用することについて、被写体となる者が許諾済みか否かを判定する手段と、
個々の商品の商品コードとその商品の自店舗及び他店舗での在庫情報とを紐付けして記憶保存する在庫データベースにアクセスし、前記選択指定された商品の商品コードに紐付けされているその商品の自店舗での在庫情報を含む自店舗在庫画面を前記表示部に表示する手段と、
記憶部に記憶保存されている他店舗での在庫情報の閲覧可否の定義に従い、前記自店舗在庫画面上で、前記選択指定された商品の商品コードに紐付けされているその商品の他店舗での在庫情報の前記操作入力部による閲覧指示を選択的に許容する手段と、
前記在庫データベースにアクセスし、前記他店舗での在庫情報の前記操作入力部による閲覧指示に応じて前記選択指定された商品の商品コードに紐付けされているその商品の他店舗での在庫情報を含む他店舗在庫画面を前記表示部に表示する手段と、
を備える情報端末。
【請求項２】
ＲＦＩＤチップとの間で近距離無線通信によるデータ送受信を実行する無線通信部と、
前記コーディネートデータベースにアクセスし、商品である衣類に付されたＲＦＩＤチップから前記無線通信部が近距離無線通信によって受信した商品コードによって特定される商品が含まれている１又は２以上の前記コーディネート画像を検索する手段と、
前記検索したコーディネート画像を含む前記受信した商品コードによって特定される商品の商品別コーディネート一覧画面を前記表示部に表示する手段と、
前記在庫データベースにアクセスし、前記商品別コーディネート一覧画面上で、前記無線通信部が受信した商品コードに紐付けされているその商品の前記自店舗在庫画面を前記表示部に表示する手段と、
を備える、請求項１記載の情報端末。
【請求項３】
前記他店舗での在庫情報の閲覧可否の定義は、閲覧を禁止する日を定義している、請求項１又は２記載の情報端末。
【請求項４】
前記他店舗での在庫情報の閲覧可否の定義は、閲覧を禁止する時間帯を定義している、請求項１ないし３のいずれか一記載の情報端末。
【請求項５】
前記他店舗での在庫情報の閲覧可否の定義は、閲覧可否を決定するフラグを定義している、請求項１ないし４のいずれか一記載の情報端末。
【請求項６】
記憶部に記憶保存されているログイン可能な２種類のコード体系に基づく識別コードを定義するログインテーブルにアクセスし、当該ログインテーブルで定義されている識別コードが入力された場合にのみログインを許可する手段と、
前記第１のコード体系の識別コードでログインした場合には前記他店舗での在庫情報の閲覧制限を実行し、前記第２のコード体系の識別コートでログインした場合には前記他店舗での在庫情報の閲覧制限を実行しない手段と、
を備える、請求項１ないし５のいずれか一記載の情報端末。
【請求項７】
情報を表示するための表示部と、情報を操作入力するための操作入力部と、を備えるコンピュータにインストールされ、当該コンピュータに、
商品である衣類をコーディネートして撮像されたコーディネート画像とこのコーディネート画像中でコーディネートされている衣類の商品コードとを紐付けして記憶保存するコーディネートデータベースにアクセスし、前記表示部に特定の前記コーディネート画像を含むコーディネート画面を表示する処理と、当該コーディネート画像に含まれている特定の商品の前記操作入力部による選択指定を許容する処理と、を実行する機能と、
撮像された前記コーディネート画像の前記コーディネートデータベースへの登録に先だって、当該コーディネート画像を利用することについて、被写体となる者が許諾済みか否かを判定する機能と、
個々の商品の商品コードとその商品の自店舗及び他店舗での在庫情報とを紐付けして記憶保存する在庫データベースにアクセスし、前記選択指定された商品の商品コードに紐付けされているその商品の自店舗での在庫情報を含む自店舗在庫画面を前記表示部に表示する機能と、
記憶部に記憶保存されている他店舗での在庫情報の閲覧可否の定義に従い、前記自店舗在庫画面上で、前記選択指定された商品の商品コードに紐付けされているその商品の他店舗での在庫情報の前記操作入力部による閲覧指示を選択的に許容する機能と、
前記在庫データベースにアクセスし、前記他店舗での在庫情報の前記操作入力部による閲覧指示に応じて前記選択指定された商品の商品コードに紐付けされているその商品の他店舗での在庫情報を含む他店舗在庫画面を前記表示部に表示する機能と、
を実行させる、コンピュータプログラム。
【発明の詳細な説明】
【技術分野】
【０００１】
本発明の実施形態は、情報端末及びコンピュータプログラムに関する。
【背景技術】
【０００２】
衣類は、試着した状態を見なければそのイメージを掴みにくい。しかも、衣類を着こなすにはコーディネートが必要である。そこで、近年、ブティックでの販売形態として、その店舗や系列店舗等で販売している衣類を店員自らがコーディネートして試着し、コーディネートのセンスも含めて顧客にその商品を訴求していくような販売形態が一般化している。ここでは、便宜上、そのような販売形態を「コーディネート販売」と呼ぶことにする。
【０００３】
この出願の発明者等は、ＩＴ技術を利用してコーディネート販売を支援できるようにした技術について、先行技術調査をしてみた。その結果、特許文献１を見出した。
【０００４】
特許文献１には、コーディネート情報を登録し（段落００７２〜００７９参照）、登録したコーディネート情報を照会・表示できるようにした技術が記載されている（段落００８０〜００９４参照）。この場合のコーディネート情報の表示は、テキストデータのリスト表示である（段落００９１参照）。もっとも、コーディネート情報に含まれている個々の商品については、画像情報を表示することも示唆されている（段落００９２参照）。
【０００５】
特許文献１には、また、コーディネート情報を在庫の有無等の情報に基づいて並び替えて表示すること、商品の売上に応じて本部で管理している在庫の有無をリアルタイム更新することが記載されている（段落０１２６参照）。さらに、特許文献１は、コーディネート情報に含まれる個々の商品の在庫の有無を本部のコンピュータに問い合わせ、本部から受信した在庫情報を表示したり、顧客に電子メールで通知したり、顧客専用のウェブページで情報提供したりすることについても言及している（段落０１２９〜０１３０参照）。
【発明の概要】
【発明が解決しようとする課題】
【０００６】
この出願の発明者は、近年におけるコーディネート販売の重要性に鑑み、顧客自らの操作で情報閲覧が可能な端末でコーディネート情報を閲覧できるようにする技術を開発している。この場合、コーディネート情報から特定商品の商品情報、例えばその商品の価格や色、在庫状況等を閲覧できるようにすることが望ましい。とりわけ、顧客自らの操作によってその商品の在庫状況を閲覧させるようにした場合には、顧客は自ずと興味を引かれた商品の在庫を自分自身で確認するようになるであろう。このため、店員の接客負担が軽減されるばかりでなく、顧客が積極的な行動をとることによってもたらされることであろう販売の促進が期待される。
【０００７】
ところが、顧客にコーディネート情報を提供するツールとして、顧客自らの操作で情報閲覧が可能な端末を用いた場合、その端末が特定の顧客に独占されることは望ましくない。あるいは、そのような端末を利用するための待ち時間が長時間化することも避けるべきである。その一方で、店舗には繁忙期が存在する。このため、繁忙期には、コーディネート情報を提供するための端末が特定の顧客に独占されてしまったり、そのような端末を利用するための待ち時間が長時間化してしまったりするであろうことが容易に予測され、このような事態に対する何らかの解決策が望まれる。
【課題を解決するための手段】
【０００８】
実施形態の情報端末は、情報を表示するための表示部と、情報を操作入力するための操作入力部と、商品である衣類をコーディネートして撮像されたコーディネート画像とこのコーディネート画像中でコーディネートされている衣類の商品コードとを紐付けして記憶保存するコーディネートデータベースにアクセスし、前記表示部に特定の前記コーディネート画像を含むコーディネート画面を表示する処理と、当該コーディネート画像に含まれている特定の商品の前記操作入力部による選択指定を許容する処理と、を実行する手段と、を備えている。
【０００９】
さらに情報端末は、撮像された前記コーディネート画像の前記コーディネートデータベースへの登録に先だって、当該コーディネート画像を利用することについて、被写体となる者が許諾済みか否かを判定する手段を備えている。
そして、情報端末は、個々の商品の商品コードとその商品の自店舗及び他店舗での在庫情報とを紐付けして記憶保存する在庫データベースにアクセスし、選択指定された商品の商品コードに紐付けされているその商品の自店舗での在庫情報を含む自店舗在庫画面を前記表示部に表示し、記憶部に記憶保存されている他店舗での在庫情報の閲覧可否の定義に従い、自店舗在庫画面上で、前記選択指定された商品の商品コードに紐付けされているその商品の他店舗での在庫情報の操作入力部による閲覧指示を選択的に許容する。
これらの結果、情報端末は、在庫データベースにアクセスし、他店舗での在庫情報の操作入力部による閲覧指示に応じて選択指定された商品の商品コードに紐付けされているその商品の他店舗での在庫情報を含む他店舗在庫画面を表示部に表示する。
【図面の簡単な説明】
【００１０】
【図１】本発明の実施の一形態として、システム全体の構成を示すブロック図である。
【図２】コーディネート情報登録フェーズ、コーディネート情報閲覧フェーズ及びデータ送受信フェーズでの基本的な処理内容を模式的に示す模式図である。
【図３】情報端末を示す外観斜視図である。
【図４】情報端末の電気的接続のブロック図である。
【図５】情報端末のＨＤＤに記録されている商品マスタエリアの記録データを示す模式図である。
【図６】情報端末のＨＤＤに記録されている店員マスタエリアの記録データを示す模式図である。
【図７】情報端末のＨＤＤに記録されている顧客マスタエリアの記録データを示す模式図である。
【図８】情報端末のＨＤＤに記録されている利用範囲マスタエリアの記録データを示す模式図である。
【図９】情報端末のＨＤＤに記録されているメタ画像蓄積エリアの記録データを示す模式図である。
【図１０】情報端末のＨＤＤに記録されているコーディネート情報エリアの記録データを示す模式図である。
【図１１】（ａ）は情報端末のＨＤＤに記録されている在庫情報エリアの記録データを示す模式図、（ｂ）は在庫情報エリア中の在庫管理マスタエリアの記録データを示す模式図、（ｃ）は在庫情報エリア中の表示規制設定エリアの記録データを示す模式図である。
【図１２】コーディネート情報登録処理の流れを示すフローチャートである。
【図１３】情報端末の液晶ディスプレイに表示される利用範囲選択画面の一例を示す模式図である。
【図１４】情報端末の液晶ディスプレイに表示されるコーディネート編集画面の一例を示す模式図である。
【図１５】情報端末の液晶ディスプレイに表示されるコーディネート画像表示後のコーディネート編集画面の一例を示す模式図である。
【図１６】情報端末の液晶ディスプレイに表示されるコーディネート画像表示後であって店員コード入力後のコーディネート編集画面Ｂの一例を示す模式図である。
【図１７】情報端末の液晶ディスプレイに表示されるコーディネート画像表示後であって店員コード及び商品コード入力後のコーディネート編集画面の一例を示す模式図である。
【図１８】情報端末の液晶ディスプレイに表示される利用許諾画面の一例を示す模式図である。
【図１９】コーディネート情報閲覧処理の流れを示すフローチャートである。
【図２０】情報端末の液晶ディスプレイに表示されるコーディネート一覧画面の一例を示す模式図である。
【図２１】情報端末の液晶ディスプレイに表示されるタグ情報待機画面の一例を示す模式図である。
【図２２】情報端末の液晶ディスプレイに表示される商品別コーディネート一覧画面の一例を示す模式図である。
【図２３】情報端末の液晶ディスプレイに表示されるコーディネート画面の一例を示す模式図である。
【図２４】自店舗在庫の確認処理の流れを示すフローチャートである。
【図２５】他店舗在庫の確認処理の流れを示すフローチャートである。
【図２６】自店舗在庫画面の一例を示す模式図である。
【図２７】他店舗在庫画面の表示規制がなされている自店舗在庫画面の一例を示す模式図である。
【図２８】他店舗在庫画面の一例を示す模式図である。
【発明を実施するための形態】
【００１１】
本発明の実施の一形態を図１ないし図２８に基づいて説明する。
【００１２】
（基本構成）
図１は、システム全体の構成を示すブロック図である。本実施の形態のシステムは、本部Ｈに設置されるホストコンピュータ１１と個々の店舗Ｓに設置される情報端末１０１及び商品販売データ処理装置としてのＰＯＳ端末１５１とが通信回線網５１を介してデータ送受信自在に接続されて構築されている。そのために、本部Ｈには通信回線網５１に接続してデータ通信を司る本部ＷＥＢサーバ１２が設置され、この本部ＷＥＢサーバ１２とホストコンピュータ１１とが構内ネットワーク１３を介して相互にデータ送受信自在に接続されている。また、店舗Ｓには通信回線網５１に接続してデータ通信を司る店舗ＷＥＢサーバ１５２が設置され、この店舗ＷＥＢサーバ１５２と情報端末１０１とＰＯＳ端末１５１とが構内ネットワーク１５３を介して相互にデータ送受信自在に接続されている。
【００１３】
ここで、個々の店舗Ｓに設置されている情報端末１０１を中心として見た場合、本部Ｈに設置されているホストコンピュータ１１も外部機器となる。
【００１４】
図２は、コーディネート情報登録フェーズ、コーディネート情報閲覧フェーズ及びデータ送受信フェーズでの基本的な処理内容を模式的に示す模式図である。コーディネート情報登録フェーズ及びコーディネート情報閲覧フェーズは、個々の店舗Ｓで実行される。データ送受信フェーズは、個々の店舗Ｓと本部Ｈとの間のデータ通信によって実行される。
【００１５】
まず、コーディネート情報登録フェーズでは、情報端末１０１を利用した店員によるコーディネート情報の登録を受け付ける。つまり、情報端末１０１は、コーディネート情報の登録支援のための表示及び情報入力を可能とし、店員によって入力されたコーディネート情報を登録する。この場合のコーディネート情報は、その店舗Ｓや別の店舗Ｓで販売している衣類を店員がコーディネートして撮像されたコーディネート画像、そのモデルとなっている店員を特定する店員コード及びコーディネートして試着している衣類を特定する商品コード等である。
【００１６】
次いで、コーディネート情報閲覧フェーズでは、情報端末１０１を利用した顧客へのコーディネート情報の閲覧を許容する。つまり、情報端末１０１は、コーディネート情報登録フェーズで登録されたコーディネート情報を顧客に提供する。この際のコーディネート情報の提供の中心をなすのは、コーディネート画像である。より詳細には、情報端末１０１は、顧客によるコーディネート画像の閲覧を可能とする。
【００１７】
次いで、データ送受信フェーズでは、コーディネート情報登録フェーズで店員によって登録されたコーディネート情報を個々の店舗Ｓと本部Ｈとの間で送受信する。一例として、個々の店舗Ｓからは、当該店舗Ｓで発生した上記コーディネート情報を本部Ｈのホストコンピュータ１１に送信する。ホストコンピュータ１１は、個々の店舗Ｓから集めた上記コーディネート情報を記憶保存して管理すると共に、その情報を他の店舗Ｓに配信する。
これにより、ある店舗Ｓで発生した上記コーディネート情報が本部Ｈのホストコンピュータ１１で管理可能となると共に、そのようなコーディネート情報を他の全ての店舗Ｓでも共有可能となる。一例として、データ送受信フェーズでのコーディネート情報に関するデータ送受信処理は、個々の店舗Ｓでの営業が終了した夜間等にバッチ処理によってなされる。別の一例として、データ送受信フェーズでのデータ送受信処理は、リアルタイムで実行される。
【００１８】
また、データ送受信フェーズでは、個々の店舗ＳのＰＯＳ端末１５１によって発生した売上データを、店舗ＷＥＢサーバ１５２を介して本部Ｈのホストコンピュータ１１に送信する。本部Ｈのホストコンピュータ１１では、個々の店舗Ｓから集めた上記売上データを記憶保存して管理すると共に、その売上データに基づいて各店舗Ｓの在庫情報を生成する。そして、生成した在庫情報を個々の店舗Ｓの情報端末１０１に送信する。これにより、各店舗Ｓの在庫情報を他の全ての店舗Ｓでも共有可能となる。このようなデータ送受信フェーズでの売上データ及び在庫情報に関するデータ送受信処理は、リアルタイムで実行することが望ましい。もっとも、リアルタイム処理に限られるわけではなく、別の一例としては、個々の店舗Ｓでの営業が終了した夜間等にバッチ処理によってなされてもよい。
【００１９】
図３は、情報端末１０１を示す外観斜視図である。情報端末１０１は、各部を収納する平べったい本体部１０２の上面に表示部としての液晶ディスプレイ１０３が載置されて構成されている。液晶ディスプレイ１０３には、その表示面１０４の上に操作入力部としてのタッチパネル１０５が積層配置されている。液晶ディスプレイ１０３には、そのフレーム１０６の上部にカメラ１０７も取り付けられている。
【００２０】
図４は、情報端末１０１の電気的接続のブロック図である。図４に示すように、情報端末１０１には、マイクロコンピュータ２０１が備えられており、このマイクロコンピュータ２０１が各部を駆動制御する。マイクロコンピュータ２０１は、各部を集中的に制御するＣＰＵ２０２に、バスライン２０３を介して制御プログラム等の固定的情報を予め記憶するＲＯＭ２０４と、各種情報を書き換え自在に記憶してワークエリア等として機能するＲＡＭ２０５とが接続されて構成されている。したがって、マイクロコンピュータ２０１は、情報処理を実行する情報処理部を構成する。なお、図４では、ＣＰＵ２０２、ＲＯＭ２０４及びＲＡＭ２０５を単一構成物として表示しているが、これらのＣＰＵ２０２、ＲＯＭ２０４及びＲＡＭ２０５は、複数の固体に分割されて構成されていてもよい。特に、ＲＡＭ２０５として表示している構成物は、少なくとも、ワークエリアとして用いられるチップと画像メモリを構成するチップとを含んでいる。
【００２１】
マイクロコンピュータ２０１には、バスライン２０３を介してＩ／ＯインターフェースＩＦ１及び通信インターフェースＩＦ２が接続されている。そして、Ｉ／ＯインターフェースＩＦ１には、タッチパネルコントローラ２０６、ビデオコントローラ２０７、ＨＤＤ２０８、及びシリアルポート２０９が接続されており、シリアルポート２０９には、無線通信部としてのＲＦＩＤリーダライタ２１０及びカメラ１０７が接続されている。シリアルポート２０９には、例えば外部カメラ２１１（デジタルカメラ）等の外部機器を接続することもできる。通信インターフェースＩＦ２は、マイクロコンピュータ２０１を構内ネットワーク１５３へ接続させ、ＰＯＳ端末１５１及び店舗ＷＥＢサーバ１５２と情報端末１０１との間の相互のデータ通信を可能とする。この意味で、通信インターフェースＩＦ２は、外部機器である本部Ｈに設置されているホストコンピュータ１１、商品販売データ処理装置であるＰＯＳ端末１５１との間でデータを送受信するデータ送受信部としての機能を提供する。また、ＲＡＭ２０５及びＨＤＤ２０８は、記憶部としての機能を提供する。
【００２２】
タッチパネルコントローラ２０６には、タッチパネル１０５が接続されている。タッチパネルコントローラ２０６は、タッチパネル１０５からの入力信号をマイクロコンピュータ２０１に取り込む。
【００２３】
ビデオコントローラ２０７には、液晶ディスプレイ１０３が接続されている。ビデオコントローラ２０７は、画像データに基づいて液晶ディスプレイ１０３を駆動制御し、画像データに応じた画像を液晶ディスプレイ１０３に表示させる。
【００２４】
ＨＤＤ２０８には、プログラムエリアＰＡ、商品マスタエリア２１２、店員マスタエリア２１３、顧客マスタエリア２１４、利用範囲マスタエリア２１５、メタ画像蓄積エリア２１６、コーディネート情報エリア２１７、及び在庫情報エリア２１８が設けられている。プログラムエリアＰＡには、ＯＳ及びコンピュータプログラム等がインストールされている。これらのＯＳ及びコンピュータプログラム等は、情報端末１０１の起動時にその全部又は一部がＲＡＭ２０５にコピーされてＣＰＵ２０２にアクセスされる。ＣＰＵ２０２は、こうしてコピーされたＯＳ及びコンピュータプログラムに従った処理を実行する。商品マスタエリア２１２の詳細については、図５に基づいて後述する。店員マスタエリア２１３の詳細については、図６に基づいて後述する。顧客マスタエリア２１４の詳細については、図７に基づいて後述する。利用範囲マスタエリア２１５の詳細については、図８に基づいて後述する。メタ画像蓄積エリア２１６の詳細については図９に基づいて、コーディネート情報エリア２１７の詳細については図１０に基づいて、それぞれ後述する。在庫情報エリア２１８の詳細については、図１１に基づいて後述する。
【００２５】
シリアルポート２０９に接続されているＲＦＩＤリーダライタ２１０は、例えば電磁誘導結合による近距離無線通信をＲＦＩＤチップとの間で実行する。本実施の形態においては、被写体となる店員、商品及び顧客にＲＦＩＤチップが付帯している。つまり、被写体となる店員は、自己（店員）を特定する識別コードである店員コードを記憶するＲＦＩＤチップを内蔵するＩＤカード（図示せず）を所持する。商品には、その商品を特定する商品コードを記憶するＲＦＩＤチップを内蔵する商品タグ（図示せず）が付されている。そして、顧客は、自己（顧客）を特定する識別コードである顧客コードを記憶するＲＦＩＤチップを内蔵する会員カード（図示せず）を所持する。したがって、ＲＦＩＤリーダライタ２１０は、被写体となる店員が所持するＩＤカードからその店員を特定する店員コードを受信し、商品に付された商品タグからはその商品を特定する商品コードを受信し、顧客が所持する会員カードからその顧客を特定する顧客コードを受信し、これらの受信した店員コード、商品コード及び顧客コードを出力する。マイクロコンピュータ２０１は、ＲＦＩＤリーダライタ２１０が出力した店員コード、商品コード及び顧客コードをシリアルポート２０９からＩ／ＯインターフェースＩＦ１を介して取り込む。
【００２６】
別の一例として、被写体となる店員を特定する店員コード、商品を特定する商品コード、顧客を特定する顧客コードは、別の機器で読み取られたり入力されたりして、マイクロコンピュータ２０１に取り込まれる構成であっても良い。一例として、液晶ディスプレイ１０３にテンキーを表示しておき、表示されているテンキーに従ったタッチパネル１０５での入力によって店員コード、商品コード、顧客コードを入力するようにしても良い。別の一例として、バーコードや２次元コード等のコードシンボルとして表現された店員コード、商品コード、顧客コードを用意しておき、これらのコードシンボルをコードリーダによって光学的に読み取ることで入力するようにしても良い。
【００２７】
シリアルポート２０９に接続されているカメラ１０７は、レンズ１０８から取り込んだ画像を２次元ＣＣＤアレイ（図示せず）に結像させ、ＣＣＤアレイの出力を増幅、Ａ／Ｄ変換、フィルタリング等して出力するデジタルカメラである。外部カメラ２１１も、基本的には同様な構造を有するデジタルカメラである。
【００２８】
図５は、情報端末１０１のＨＤＤ２０８に記録されている商品マスタエリア２１２（商品データベース）の記録データを示す模式図である。商品マスタエリア２１２は、個々の商品を特定する商品ＩＤ（商品コード）に商品名称を対応付けて記憶している。商品ＩＤ（商品コード）は、同一の商品であってもサイズ違い及び色違いの場合には、異なるコードで管理している。但し、同一の商品のサイズ違い及び色違いに関しては、商品ＩＤ（商品コード）上で同一の商品であることが識別できるよう、コードが体系化されている。つまり、同一の商品であってもサイズ違い及び色違いの場合には異なる商品ＩＤ（商品コード）が付されているが、そのコード中の一部は共通化されており、サイズ違い又は色違いではあるが同一の商品であることが分かるようなコード体系が採用されている。
【００２９】
図６は、情報端末１０１のＨＤＤ２０８に記録されている店員マスタエリア２１３の記録データを示す模式図である。店員マスタエリア２１３は、被写体となる店員を特定する店員ＩＤ（店員コード）に対応付けて、被写体の氏名（テキストデータ）、所属店舗（テキストデータ）、ポイント（英数字データ）、及び画像利用の許諾ステータスを記憶している。店員ＩＤ（店員コード）は、情報端末１０１に対するログインに際して特定される。
【００３０】
図７は、情報端末１０１のＨＤＤ２０８に記録されている顧客マスタエリア２１４の記録データを示す模式図である。顧客マスタエリア２１４は、顧客を特定する顧客ＩＤ（顧客コード）に対応付けて、顧客の氏名（テキストデータ）、購入履歴（テキストデータ）及びポイント（英数字データ）を記憶している。顧客ＩＤ（顧客コード）は、情報端末１０１に対するログインに際して特定される。
【００３１】
ここで、店員ＩＤ（店員コード）は、それ自体、店員のコードであることを示す全ての店員ＩＤ（店員コード）に共通するコードを含んでいる。また、顧客ＩＤ（顧客コード）は、それ自体、顧客のコードであることを示す全ての顧客ＩＤ（顧客コード）に共通するコードを含んでいる。これにより、図６に示す店員マスタエリア２１３及び図７に示す顧客マスタエリア２１４は、ログイン可能な２種類のコード体系に基づく識別コード（店員コード及び顧客コード）を定義するログインテーブルとして機能する。
【００３２】
図８は、情報端末１０１のＨＤＤ２０８に記録されている利用範囲マスタエリア２１５の記録データを示す模式図である。利用範囲マスタエリア２１５は、利用範囲を特定する利用範囲ＩＤに利用範囲を対応付けて記憶している。利用範囲というのは、カメラ１０７や外部カメラ２１１による撮像画像の利用範囲を意味している。例えば、店員が所属する自店舗でのみ利用、自店舗に加えて自店舗以外の店舗での利用（公開利用）、自他店舗に加えてＷＥＢでの利用（ＷＥＢ利用）等が利用範囲として規定されている。一例として、利用範囲ＩＤがＡである場合の利用範囲は、店員が所属する自店舗でのみ利用と定義され、利用範囲ＩＤがＢである場合の利用範囲は、公開利用と定義され、利用範囲ＩＤがＣである場合の利用範囲は、ＷＥＢ利用と定義されている。
【００３３】
図９は、情報端末１０１のＨＤＤ２０８に記録されているメタ画像蓄積エリア２１６の記録データを示す模式図である。メタ画像蓄積エリア２１６は、カメラ１０７や外部カメラ２１１によって撮像されてマイクロコンピュータ２０１に取り込まれた画像を特定する画像ＩＤに、カメラ１０７や外部カメラ２１１による撮像画像であるコーディネート画像のデータであるバイナリデータとそのパス名とを対応付けて記憶している。パス名には、バイナリデータのデータ形式が含まれている。そこで、別の実施の形態として、バイナリデータそのものはメタ画像蓄積エリア２１６には蓄積せずにいずれかの記憶領域に記憶させておき、メタ画像蓄積エリア２１６にはパス名のみを記憶させておくことも可能である。このようなデータ構造を採用した場合、パス名をキーとしてメタ画像を検索することが可能である。
【００３４】
図１０は、情報端末１０１のＨＤＤ２０８に記録されているコーディネート情報エリア２１７の記録データを示す模式図である。コーディネート情報エリア２１７は、店員による個々のコーディネートを特定するコーディネートＩＤに対応付けて、画像ＩＤ、商品ＩＤ（商品コード）、アイテム情報（テキストデータ）、店員ＩＤ（テキストコード）、店員情報（氏名及び所属店舗のテキストデータ）、コメント（テキストデータ）、及び利用範囲ＩＤを対応付けて記憶している。したがって、コーディネート情報エリア２１７を参照することで、例えばコーディネートＩＤをキーとして対応する一連のデータを検索することができる。検索によって店員ＩＤが判明すれば、メタ画像蓄積エリア２１６からバイナリデータを取得することができ、また、検索によって利用範囲ＩＤが判明すれば、利用範囲マスタエリア２１５から利用範囲を取得することができる。
【００３５】
したがって、メタ画像蓄積エリア２１６及びコーディネート情報エリア２１７は、商品である衣類をコーディネートして撮像されたコーディネート画像（バイナリデータ）とこのコーディネート画像中でコーディネートされている衣類の商品ＩＤ（商品コード）とを紐付けして記憶保存するコーディネートデータベースを構築している。
【００３６】
図１１は、情報端末１０１のＨＤＤ２０８に記録されている在庫情報エリア２１８の記録データを示す模式図である。在庫情報エリア２１８は、図１１（ａ）に示すように、在庫管理マスタエリア２１８ａと表示規制設定エリア２１８ｂとを含んでいる。
【００３７】
在庫管理マスタエリア２１８ａは、図１１（ｂ）に示すように、商品ＩＤ（商品コード）に対応付けて、自店舗在庫、他店舗在庫、及びそれらの確認日時を記憶している。このような在庫管理マスタエリア２１８ａに記憶保存されているデータは、図２に基づいて前述したデータ送受信フェーズによってホストコンピュータ１１から送信された在庫情報に基づいている。このような在庫管理マスタエリア２１８ａは、個々の商品の商品ＩＤ（商品コード）とその商品の自店舗及び他店舗での在庫情報とを紐付けして記憶保存する在庫データベースを構築している。
【００３８】
表示規制設定エリア２１８ｂは、他店舗での在庫情報の閲覧可否の定義を記憶している。つまり、図１１（ｃ）に示すように、繁忙時定義２１８ｂ−１と緊急繁忙フラグ２１８ｂ−２とを含んでいる。繁忙時定義２１８ｂ−１は、対象日と開始時刻と終了時刻とを対応付けて記憶している。一例として、図１１（ｃ）に示す繁忙時定義２１８ｂ−１では、対象日として「全日」の欄には、開始時刻として「１１：３０」、終了時刻として「１３：３０」が設定され、対象日として「日曜日」の欄には、開始時刻として「９：００」、終了時刻として「２０：００」が設定され、対象日として「１２／２４」の欄には、開始時刻として「９：００」、終了時刻として「２０：００」が設定されている。これらの定義されている期間は、顧客に対して他店舗の在庫情報の閲覧を制限する期間として定義されている。つまり、情報端末１０１のＨＤＤ２０８におけるプログラムエリアＰＡにインストールされているコンピュータプログラムは、２１８ｂ−１に定義されている期間については、顧客に対して他店舗の在庫情報の閲覧を制限するようプログラミングされている。同様に、そのコンピュータプログラムは、緊急繁忙フラグ２１８ｂ−２にフラグが設定されている場合には、顧客に対して他店舗の在庫情報の閲覧を制限するようプログラミングされている。
【００３９】
ここでいうコンピュータプログラムは、後述するメタ画像蓄積エリア２１６及びコーディネート情報エリア２１７に蓄積登録されているコーディネート情報を閲覧するためのコーディネート情報閲覧処理用のプログラムである（図１９のフローチャート参照）。また、顧客に対して他店舗の在庫情報の閲覧を制限する処理については、図２４〜図２８に基づいて後述する。
【００４０】
なお、表示規制設定エリア２１８ｂに設定されているデータは、情報端末１０１を設定モードにすることによって容易に設定することが可能である。設定モードは、一例として、店舗Ｓの責任者等、ある限られた者だけが入れるように構築されていることが望ましい。そのための仕組みとして、図６に示す店員マスタエリア２１３に記憶する店員ＩＤ（店員コード）として、例えば店舗Ｓの責任者であることを示すコードを含めておき、情報端末１０１を設定モードにするには、そのコードを含んでいる店員コードでのログインを要求するようにすればよい。
【００４１】
（コーディネート情報登録フェーズ）
図１２は、コーディネート情報登録処理の流れを示すフローチャートである。ＨＤＤ２０８のプログラムエリアＰＡにインストールされているコンピュータプログラムには、カメラ１０７や外部カメラ２１１によって撮像された画像データを、メタ画像蓄積エリア２１６及びコーディネート情報エリア２１７に蓄積登録するためのコーディネート情報登録処理用のプログラムが含まれている。このコーディネート情報登録処理用のプログラムは、その起動時にＲＡＭ２０５にコピーされて使用される。図１２に示すフローチャートの処理は、こうしてＲＡＭ２０５にコピーされたコーディネート情報登録処理用のプログラムに従いＣＰＵ２０２が実行する処理内容を示している。
【００４２】
ＣＰＵ２０２は、まず、撮像画像の利用範囲を設定する処理を実行する（ステップＳ１０１）。つまり、ＣＰＵ２０２は、ビデオコントローラ２０７に対して、利用範囲選択画面Ａを液晶ディスプレイ１０３に表示させるための信号を出力し、タッチパネル１０５からの情報入力に待機する。
【００４３】
図１３は、情報端末１０１の液晶ディスプレイ１０３に表示される利用範囲選択画面Ａの一例を示す模式図である。利用範囲選択画面Ａには、利用範囲選択エリアＡ１と、選択済み利用範囲表示エリアＡ２と、利用範囲解説エリアＡ３と、登録ボタンＡ４と、キャンセルボタンＡ５とが表示される。利用範囲選択エリアＡ１は、プルダウン指示オブジェクトＡ１−１のタッチ指定によって選択可能な利用範囲ＩＤ一覧Ａ１−２をプルダウン表示する。そこで、プルダウン表示された利用範囲ＩＤ一覧Ａ１−２から所望の利用範囲ＩＤを選択することで、利用範囲の選択がなされる。この際、利用範囲解説エリアＡ３には、利用範囲ＩＤ一覧Ａ１−２から選択可能な利用範囲の解説がなされているので、利用範囲選択の際の参考となる。選択された利用範囲は、選択済み利用範囲表示エリアＡ２に表示される。この状態で登録ボタンＡ４がタッチ指定されると、撮像画像の利用範囲の設定がなされる。つまり、選択された利用範囲を特定する利用範囲ＩＤがＲＡＭ２０５に一時記憶され、図１２のフローチャート中のステップＳ１０１の処理が完了する。これに対して、キャンセルボタンＡ５がタッチ指定されると、キャンセル処理がなされ、コーディネート情報登録処理が終了する。
【００４４】
図１２に示すフローチャートの説明に戻る。ステップＳ１０１に示す撮像画像の利用範囲の設定が完了すると、コーディネート編集画面Ｂ（図１４〜図１７参照）の表示処理が実行される（ステップＳ１０２）。つまり、ＣＰＵ２０２は、ビデオコントローラ２０７に対して、コーディネート編集画面Ｂを液晶ディスプレイ１０３に表示させるための信号を出力する。
【００４５】
図１４は、情報端末１０１の液晶ディスプレイ１０３に表示されるコーディネート編集画面Ｂの一例を示す模式図である。コーディネート編集画面Ｂには、画像表示エリアＢ１と、店員名表示エリアＢ２と、店舗名表示エリアＢ３と、商品名表示エリアＢ４と、コメント入力欄Ｂ５と、画像選択ボタンＢ６と、読取開始ボタンＢ７と、読取停止ボタンＢ８と、保存ボタンＢ９と、クリアボタンＢ１０と、戻るボタンＢ１１とが表示されている。
【００４６】
画像表示エリアＢ１は、カメラ１０７又は外部カメラ２１１が出力してマイクロコンピュータ２０１が取り込んだ撮像画像の画像データに基づくコーディネート画像を表示するために確保されている領域である。カメラ１０７又は外部カメラ２１１による撮影は、読取開始ボタンＢ７及び読取停止ボタンＢ８のタッチ指定によって実行される。つまり、読取開始ボタンＢ７がタッチ指定されると、カメラ１０７又は外部カメラ２１１による撮影がなされ、その撮像画像が画像表示エリアＢ１に動画で表示される。撮影者であり被写体である店員は、撮影のタイミングで読取停止ボタンＢ８をタッチ指定する。これにより、その瞬間の画像データが取り込まれ、画像表示エリアＢ１に静止画像であるコーディネート画像として表示される。また、画像表示エリアＢ１には、カメラ１０７又は外部カメラ２１１が出力してマイクロコンピュータ２０１が取り込んだ撮像画像の画像データに基づくコーディネート画像のみならず、画像選択ボタンＢ６がタッチ指定されることで指定可能な予め撮像されてＨＤＤ２０８等に記録保存されている画像データに基づくコーディネート画像をも表示させることができる。なお、コーディネート画像となるべき画像データが取り込まれていない状態では、画像表示エリアＢ１にはコーディネート画像が表示されず、「撮影待機中」という状態表示のみが表示されている（図１４参照）。
【００４７】
店員名表示エリアＢ２は、店員の氏名を表示するために確保されている領域である。この場合の氏名のデータは、店員が所持するＩＤカードからＲＦＩＤリーダライタ２１０が読み取って出力した店員コードをマイクロコンピュータ２０１が取り込み、取り込んだ店員コードである店員ＩＤをキーとして店員マスタエリア２１３（図６参照）から検索して得た店員の氏名である。この際、店員マスタエリア２１３からはその店員の所属店舗も取得可能なので、取得した所属店舗は店舗名表示エリアＢ３に表示される。店員コードが読み取られていない状態では、店員名表示エリアＢ２及び店舗名表示エリアＢ３には店員の氏名及び店舗名が表示されず、ブランク表示状態となっている。
【００４８】
商品名表示エリアＢ４は、店員が選択した商品名を表示するために確保されている領域である。この場合の商品名のデータは、商品に付されている商品タグに内蔵されているＲＦＩＤチップから読み取った商品コードに基づいて検索される。つまり、ＲＦＩＤリーダライタ２１０はＲＦＩＤチップが記憶している商品コードを読み取り、これをマイクロコンピュータ２０１が取り込む。ＣＰＵ２０２は、取り込んだ商品コードである商品ＩＤをキーとして商品マスタエリア２１２（図５参照）を検索し、商品名のデータを得る。商品コードが読み取られていない状態では、商品名表示エリアＢ４には商品名が表示されず、ブランク表示状態となっている。
【００４９】
コメント入力欄Ｂ５には、コメントを書き込むことができる。コメントは、一例として、コメント入力欄Ｂ５のタッチ指定によって情報端末１０１の液晶ディスプレイ１０３にキーボードを表示させ、表示されたキーボードによって入力可能である。
【００５０】
画像選択ボタンＢ６、読取開始ボタンＢ７及び読取停止ボタンＢ８は、前述した役割を担うオブジェクトである。保存ボタンＢ９、クリアボタンＢ１０及び戻るボタンＢ１１は、それぞれ、保存、クリア及び処理の戻りをタッチ指定するためのオブジェクトである。
【００５１】
図１２に示すフローチャートの説明に戻る。ステップＳ１０２に示すコーディネート編集画面Ｂの表示処理が実行された後は、カメラ撮影又は画像選択に待機している（ステップＳ１０３）。つまり、ＣＰＵ２０２は、カメラ１０７又は外部カメラ２１１から出力される撮像画像の画像データに基づくコーディネート画像の受信又は画像選択ボタンＢ６のタッチ指定に基づく既存の画像データに基づくコーディネート画像の選択に待機している。そして、ＣＰＵ２０２は、コーディネート画像となるべき画像データを取得すると、取得した画像データについて画像ＩＤを決定し、これをＲＡＭ２０５に一時記憶する。そして、その画像データに基づくコーディネート画像を表示させるようにビデオコントローラ２０７を駆動制御する（ステップＳ１０４）。これにより、ビデオコントローラ２０７は、画像データをＲＡＭ２０５中の画像メモリに展開する。そして、ＣＰＵ２０２は、画像メモリに展開された画像データをコーディネート編集画面Ｂの画像表示エリアＢ１にコーディネート画像として表示するようにビデオコントローラ２０７を駆動制御する（ステップＳ１０５）。その結果、画像データに基づくコーディネート画像がコーディネート編集画面Ｂの画像表示エリアＢ１に表示される。
【００５２】
図１５は、情報端末１０１の液晶ディスプレイ１０３に表示されるコーディネート画像表示後のコーディネート編集画面Ｂの一例を示す模式図である。
【００５３】
図１２に示すフローチャートの説明に戻る。ＣＰＵ２０２は、コーディネート編集画面Ｂの表示処理（ステップＳ１０５）の後、ＲＦＩＤリーダライタ２１０を起動させ、そのＲＦＩＤアンテナ（図示せず）に出力を供給させる（ステップＳ１０６）。これにより、ＣＰＵ２０２は、タッチパネル１０５からの操作入力のみならず、ＲＦＩＤリーダライタ２１０からの読み取り入力によって入力されたデータも取り込み可能な状態となる。そこで、ＣＰＵ２０２は、続く処理として、イベント入力の有無及びイベント種別の判定処理に待機する（ステップＳ１０７）。
【００５４】
ＣＰＵ２０２は、ステップＳ１０７に示すイベント入力の有無及びイベント種別の判定処理中、ＲＦＩＤリーダライタ２１０から出力があると（ＲＦＩＤ読み取り）、その種類を判定する（ステップＳ１０８）。つまり、前述したように、被写体となる店員は、自己を特定する店員コードを記憶するＲＦＩＤチップを内蔵するＩＤカード（図示せず）を所持しており、また、商品にはその商品を特定する商品コードを記憶するＲＦＩＤチップを内蔵する商品タグ（図示せず）が付されている。そこで、ＲＦＩＤリーダライタ２１０は、被写体となる店員が所持するＩＤカードからその店員を特定する店員コードを受信し、商品に付された商品タグからはその商品を特定する商品コードを受信し、これらの受信した識別コード及び商品コードを出力する。
【００５５】
マイクロコンピュータ２０１は、ＲＦＩＤリーダライタ２１０が出力した店員コード及び商品コードをシリアルポート２０９からＩ／ＯインターフェースＩＦ１を介して取り込み、ステップＳ１０７においてＲＦＩＤ読み取りを判定する。そして、被写体となる店員が所持するＩＤカードに記憶されている店員コード（店員ＩＤ）には店員コードであることを示すデータが含まれ、商品に付された商品タグに記憶されている商品コード（商品ＩＤ）には商品コードであることを示すデータが含まれているので、ステップＳ１０８での種類判定が可能となる。
【００５６】
ＣＰＵ２０２は、ステップＳ１０８の種類判定処理で店員ＩＤを判定すると（ステップＳ１０８の店員ＩＤ）、ステップＳ１０９の処理を実行する。つまり、取り込んだ店員ＩＤをＲＡＭ２０５のワークエリアに一時記憶する。そして、取り込んだ店員ＩＤをキーとして店員マスタエリア２１３（図６参照）から店員の氏名と所属店舗とを検索して取得し、この取得した被写体の氏名を店員名表示エリアＢ２に表示し、所属店舗を店舗名表示エリアＢ３に表示する（図１６参照）。その後、ＣＰＵ２０２は、ステップＳ１０６の処理にリターンする。
【００５７】
図１６は、情報端末１０１の液晶ディスプレイ１０３に表示されるコーディネート画像表示後であって店員コード入力後のコーディネート編集画面Ｂの一例を示す模式図である。
【００５８】
図１２に示すフローチャートの説明に戻る。ＣＰＵ２０２は、ステップＳ１０８の種類判定処理で商品ＩＤを判定すると（ステップＳ１０８の商品ＩＤ）、ステップＳ１１０の処理を実行する。つまり、取り込んだ商品ＩＤをＲＡＭ２０５のワークエリアに一時記憶する。そして、取り込んだ商品ＩＤをキーとして商品マスタエリア２１２（図５参照）から商品名称を検索して取得し、この取得した商品の名称を商品名表示エリアＢ４に表示する（図１７参照）。その後、ＣＰＵ２０２は、ステップＳ１０６の処理にリターンする。
【００５９】
図１７は、情報端末１０１の液晶ディスプレイ１０３に表示されるコーディネート画像表示後であって店員コード及び商品コード入力後のコーディネート編集画面Ｂの一例を示す模式図である。
【００６０】
図１２に示すフローチャートの説明に戻る。ＣＰＵ２０２は、ステップＳ１０８の種類判定処理で店員ＩＤ及び商品ＩＤ以外の読み取り対象を判定した場合には（ステップＳ１０８のその他）、そのままステップＳ１０６の処理にリターンする。
【００６１】
以上、ステップＳ１０７に示すイベント入力の有無及びイベント種別の判定処理において、ＣＰＵ２０２がＲＦＩＤ読み取りを判定した場合（ステップＳ１０７のＲＦＩＤ読み取り）の処理（ステップＳ１０８〜１１０）について説明した。これに対して、ＣＰＵ２０２は、ステップＳ１０７に示すイベント入力の有無及びイベント種別の判定処理において、タッチパネル１０５による保存ボタンＢ９のタッチ指定を判定した場合には（ステップＳ１０７の保存ボタン）、画像データを含むコーディネート情報の登録処理を実行する。次に、コーディネート情報の登録処理について説明する。
【００６２】
まず、ＣＰＵ２０２は、被写体である店員がコーディネート編集画面Ｂの画像表示エリアＢ１に表示されている画像についてその利用を許諾済みであるかどうかを判定する（ステップＳ１１１）。被写体である店員が画像表示エリアＢ１に表示されている画像の利用を許諾済みであるか否かは、ＲＡＭ２０５に一時記憶されているステータスを参照することによってなされる。つまり、店員が所持するＩＤカードから店員コードが読み取られると（ステップＳ１０７〜１０８参照）、読み取られた店員コードは店員ＩＤとしてＲＡＭ２０５のワークエリアに一時記憶される（ステップＳ１０９）。この際、ＣＰＵ２０２は、一時記憶した店員ＩＤについて、被写体である店員が画像表示エリアＢ１に表示されている画像の利用を許諾済みであるか否かのステータスを設定し、その許諾の有無を管理できるようにしている。この場合の許諾は、後述するステップＳ１１２で液晶ディスプレイ１０３に表示される利用許諾画面Ｃの許諾ボタンＣ２（図１８参照）のタッチ指定によってなされる。そこで、ＣＰＵ２０２は、ステップＳ１１１の判定処理において、ＲＡＭ２０５のワークエリアに一時記憶されている店員ＩＤに設定されている画像利用の許諾ステータス（図６参照）を参照し、被写体である店員が画像表示エリアＢ１に表示される画像の利用を許諾済みであるか否かを判定する。
【００６３】
次いで、ＣＰＵ２０２は、被写体である店員が画像表示エリアＢ１に表示される画像の利用を許諾済みではないと判定した場合（ステップＳ１１１のＮ）、利用許諾画面Ｃ（図１８参照）をコーディネート編集画面Ｂにポップアップ表示する（ステップＳ１１２）。
【００６４】
図１８は、情報端末１０１の液晶ディスプレイ１０３に表示される利用許諾画面Ｃの一例を示す模式図である。利用許諾画面Ｃには、許諾内容を示す許諾事項表示エリアＣ１と、許諾ボタンＣ２と、許諾拒否ボタンＣ３とが表示されている。許諾事項表示エリアＣ１には、「当システムによって撮影した画像・登録情報を使用する権利を許諾します。」というような許諾内容が示されている。そして、許諾ボタンＣ２は許諾の意思表示を示すためにタッチ指定されるオブジェクトであり、許諾拒否ボタンＣ３は許諾拒否の意思表示を示すためにタッチ指定されるオブジェクトである。
【００６５】
ＣＰＵ２０２は、ステップＳ１１２に示す利用許諾画面Ｃのポップアップ表示処理後、利用許諾画面Ｃに含まれている許諾ボタンＣ２がタッチ指定されることによって生ずる「許諾」というイベントの発生を判定すると（ステップＳ１１３のＹ）、許諾された撮像画像の登録を実行する（ステップＳ１１４）。つまり、ステップＳ１０３で取り込んだカメラ１０７等の撮像画像の画像データそのものであるバイナリデータを、ステップＳ１０４でＲＡＭ２０５に一時記憶した画像ＩＤと共に図９に示すメタ画像蓄積エリア２１６に保存登録する。あるいは、画像選択ボタンＢ６のタッチ指定によって選択された既存の画像データそのものであるバイナリデータを、ステップＳ１０４でＲＡＭ２０５に一時記憶した画像ＩＤと共に図９に示すメタ画像蓄積エリア２１６に保存登録する。この際、カメラ１０７等の撮像画像の画像データや既存の画像データに伴われているパス名も画像ＩＤ及びバイナリデータに対応付けてメタ画像蓄積エリア２１６に保存登録する。そして、図１０に示すコーディネート情報エリア２１７のコーディネートＩＤに新規のＩＤコードを設定し、これに対応付けてその画像ＩＤと、ステップＳ１１０でＲＡＭ２０５に一時記憶した商品ＩＤと、ステップＳ１０９でＲＡＭ２０５に一時記憶した店員ＩＤと、ステップＳ１０１で設定した利用範囲とを保存登録する。この際、コーディネート情報エリア２１７には、商品ＩＤから検索される商品名からなるアイテム情報と、店員ＩＤから検索される店員名及び店舗名からなる店員情報とを保存登録する。
【００６６】
一方、ＣＰＵ２０２は、ステップＳ１１２に示す利用許諾画面Ｃのポップアップ表示処理後、利用許諾画面Ｃに含まれている許諾拒否ボタンＣ３がタッチ指定されることによって生ずる「許諾拒否」というイベントの発生を判定すると（ステップＳ１１３のＮ）、ＲＡＭ２０５に一時記憶しているコーディネート編集画面Ｂのデータをクリアし（ステップＳ１１７）、ステップＳ１０２のコーディネート編集画面Ｂの表示処理にリターンする。
【００６７】
このようなステップＳ１０２のコーディネート編集画面Ｂの表示処理へのリターンは、前述したステップＳ１０７でのイベント入力の有無及びイベント種別の判定処理において、ＲＦＩＤ読み取り及び保存ボタンＢ９のタッチ指定以外のその他のイベント発生が判定され（ステップＳ１０７のその他）、それがクリアボタンＢ１０のタッチ指定と判定された場合にも実行される（ステップＳ１１５のＹ）。
【００６８】
更に、前述したステップＳ１０７でのイベント入力の有無及びイベント種別の判定処理において、ＲＦＩＤ読み取り及び保存ボタンＢ９のタッチ指定以外のその他のイベント発生が判定され（ステップＳ１０７のその他）、それがクリアボタンＢ１０のタッチ指定ではないと判定された場合（ステップＳ１１５のＮ）、発生イベントに対応する処理がなされる（ステップＳ１１６）。
【００６９】
ここで、ＣＰＵ２０２は、ステップＳ１１１において、被写体が画像表示エリアＢ１に表示されている画像の利用を許諾済みであると判定した場合（ステップＳ１１１のＹ）、利用許諾画面Ｃによる利用許諾の意思表示確認処理（ステップＳ１１２〜１１３）を経ることなく、直ちにステップＳ１１４の撮像画像の登録処理を実行する（ステップＳ１１４）。これは、被写体である店員から撮像画像の利用許諾を一度取得したならば、その後は逐次の利用許諾の取得を省略してもよいであろうという主旨の下に実行される処理である。このような利用許諾の省略処理を実行することで、円滑なコーディネート情報登録処理の遂行が図られる。
【００７０】
また、本実施の形態では、画像表示エリアＢ１に表示されている画像について、被写体にその利用の許諾の意思表示をしてもらうための仕組みとして、利用許諾画面Ｃ上での許諾ボタンＣ２のタッチ指定という仕組みを採用している。これに対して、別の実施の形態として、シリアルポート２０９に手書きタブレット（図示せず）を接続しておき、手書きタブレットへの手書き入力画像の取り込みをもって利用許諾又はその拒否を実行するようにしてもよい。この場合、店員マスタエリア２１３に被写体となる店員の筆跡データを格納しておき、手書きタブレットに筆記された筆跡が本人の筆跡であるかどうかを判定することも可能である。更に別の実施の形態として、シリアルポート２０９に生体情報取得用のセンサ（図示せず）を接続しておき、かつ、店員マスタエリア２１３に当該センサによって取得可能な被写体となる店員の生体認証データを登録しておき、生体情報取得用のセンサによって入力された生体情報と店員マスタエリア２１３に登録されている生体情報との一致をもって利用許諾又はその拒否を実行するようにしてもよい。
【００７１】
（コーディネート情報閲覧フェーズ）
図１９は、コーディネート情報閲覧処理の流れを示すフローチャートである。ＨＤＤ２０８のプログラムエリアＰＡにインストールされているコンピュータプログラムには、メタ画像蓄積エリア２１６及びコーディネート情報エリア２１７に蓄積登録されているコーディネート情報を閲覧するためのコーディネート情報閲覧処理用のプログラムが含まれている。このコーディネート情報閲覧処理用のプログラムは、その起動時にＲＡＭ２０５にコピーされて使用される。図１９に示すフローチャートの処理は、こうしてＲＡＭ２０５にコピーされたコーディネート情報登録処理用のプログラムに従いＣＰＵ２０２が実行する処理内容を示している。
【００７２】
店舗Ｓを訪れた顧客がコーディネート画像の閲覧を希望する場合、情報端末１０１でのログインが必要となる。情報端末１０１でログインをするには、顧客が所持する会員カード（図示せず）に内蔵されているＲＦＩＤチップに記憶されている顧客コードをＲＦＩＤリーダライタ２１０によって読み取らせる。マイクロコンピュータ２０１は、ＲＦＩＤリーダライタ２１０が出力した顧客コードをシリアルポート２０９からＩ／ＯインターフェースＩＦ１を介して取り込み、ＨＤＤ２０８に記憶保存されている顧客マスタエリア２１４を検索して取り込んだ顧客コードと同一の顧客ＩＤの有無を判定する。マイクロコンピュータ２０１は、会員カードから読み取った顧客コードと同一の顧客ＩＤが顧客マスタエリア２１４に存在することを条件に、ログインを許可する。以上がログイン処理である（ステップＳ２０１）。
【００７３】
もっとも、コーディネート画像の閲覧を希望する場合に情報端末１０１でのログインを必要とするのは、顧客ばかりでなく、店員も同様である。つまり、店員が情報端末１０１でログインをするには、店員が所持するＩＤカード（図示せず）に内蔵されているＲＦＩＤチップに記憶されている店員コードをＲＦＩＤリーダライタ２１０によって読み取らせる。マイクロコンピュータ２０１は、ＲＦＩＤリーダライタ２１０が出力した店員コードをシリアルポート２０９からＩ／ＯインターフェースＩＦ１を介して取り込み、ＨＤＤ２０８に記憶保存されている店員マスタエリア２１３を検索して取り込んだ店員コードと同一の店員ＩＤの有無を判定する。マイクロコンピュータ２０１は、店員が所持するＩＤカードから読み取った店員コードと同一の店員ＩＤが店員マスタエリア２１３に存在することを条件に、ログインを許可する。以上が店員によるログイン処理である（ステップＳ２０１）。
【００７４】
マイクロコンピュータ２０１は、ステップＳ２０１でログイン処理を実行した後、コーディネート一覧画面Ｄを液晶ディスプレイ１０３に表示出力する（ステップＳ２０２）。
【００７５】
図２０は、情報端末１０１の液晶ディスプレイ１０３に表示されるコーディネート一覧画面Ｄの一例を示す模式図である。コーディネート一覧画面Ｄは、１０個のコーディネート写真が一覧表示される一覧表示欄Ｄ１を主体に構成されている。一覧表示欄Ｄ１に表示される１０個のコーディネート写真は、スクロール表示が可能である。コーディネート一覧画面Ｄ中の右下側に位置する三角印は、コーディネート写真のスクロールを指定するスクロールボタンＤ２である。図２０は、上位１０個のコーディネート写真が表示されている状態を示しているので、スクロールボタンＤ２は「送り側」の一つしか示されていないが、先頭のコーディネート写真がスクロールされて非表示になると、「戻し側」のスクロールボタン（図示せず）も表示されることになる。
【００７６】
ここで、コーディネート一覧画面Ｄの一覧表示欄Ｄ１に表示されるコーディネート写真は、図１０に示すコーディネート情報エリア２１７の利用範囲に記録されている定義に従って表示される。例えば、コーディネート情報エリア２１７中のコーディネートＩＤによって特定されるコーディネートの利用範囲ＩＤがＢ又はＣとして定義されている場合には、その利用範囲は自他いずれの店舗Ｓでも良いとの定義なので（図８参照）、一覧表示欄Ｄ１には、自他いずれの店舗Ｓにおいてもコーディネート写真が表示されることになる。これに対して、コーディネートＩＤによって特定されるコーディネートの利用範囲ＩＤがＡとして定義されている場合には、その利用範囲は自店舗内での利用との定義なので（図８参照）、一覧表示欄Ｄ１には、コーディネートＩＤに紐付けされている店員の自店舗Ｓでのみコーディネート写真が表示されることになる。
【００７７】
コーディネート一覧画面Ｄには、「商品タグで検索」と表示されている商品タグ選択ボタンＤ３及び「カテゴリで検索」と表示されているカテゴリ選択ボタンＤ４が表示されている。また、コーディネート一覧画面Ｄには、更に、戻るボタンＤ５及びログアウトボタンＤ６も表示されている。
【００７８】
ここで、コーディネート一覧画面Ｄは、特定のコーディネート画像を表示するコーディネート画面Ｇ（図２３参照）を検索するためのフロント画面としての機能を果たしている。コーディネート一覧画面Ｄから所望のコーディネート画像を検索するために、情報端末１０１は、三通りの検索の仕方を提供する。以下、三通りの検索の仕方を図１９のフローチャートに戻り説明する。
【００７９】
一つ目の検索の仕方は、一覧表示欄Ｄ１に表示されているコーディネート写真のタッチ指定による選択である。情報端末１０１のＣＰＵ２０２は、ステップＳ２０２に続く処理として、画像選択の有無の判定に待機している（ステップＳ２０３）。この場合の画像選択は、一覧表示欄Ｄ１に一覧表示されているコーディネート写真のタッチ指定によってなされる。つまり、一覧表示欄Ｄ１に一覧表示されているコーディネート写真は、図９に示すメタ画像蓄積エリア２１６のバイナリデータに基づくものであるので、メタ画像蓄積エリア２１６を参照することで、そのバイナリデータと対応付けられている画像ＩＤが分かり、画像ＩＤが分かれば、図１０に示すコーディネート情報エリア２１７を参照することでコーディネートＩＤが分かる。したがって、一覧表示欄Ｄ１に表示されている特定のコーディネート写真がタッチ指定されると、これに紐付けられているコーディネートＩＤが判明する。そこで、情報端末１０１のＣＰＵ２０２は、判明したコーディネートＩＤに対応するコーディネート画像を含むコーディネート画面Ｇ（図２３参照）を液晶ディスプレイ１０３に表示する（ステップＳ２０６）。
【００８０】
二つ目の検索の仕方は、商品タグ選択ボタンＤ３をタッチ指定することで開始される商品タグ（図示せず）に基づく検索である。情報端末１０１のＣＰＵ２０２は、画像選択がなされることなく（ステップＳ２０３のＮ）、商品タグ選択ボタンＤ３がタッチ指定されると（ステップＳ２０４のＹ）、タグ情報待機画面Ｅを液晶ディスプレイ１０３に表示する（ステップＳ２０７）。
【００８１】
図２１は、情報端末１０１の液晶ディスプレイ１０３に表示されるタグ情報待機画面Ｅの一例を示す模式図である。タグ情報待機画面Ｅには、「商品タグをかざしてね！」というメッセージＥ１が表示され、商品名を表示するための商品名表示欄Ｅ２が表示されている。そして、タグ情報待機画面Ｅには、図２０に示すコーディネート一覧画面Ｄの表示を指示するための「すべて表示」と表示されている全表示ボタンＥ３と、後述する三つ目の検索の仕方であるカテゴリ検索を指示するための「カテゴリで検索」と表示されているカテゴリ選択ボタンＥ４とが表示されている。タグ情報待機画面Ｅには、更に、戻るボタンＥ５とログアウトボタンＥ６とが表示されている。
【００８２】
図１９に示すフローチャートの説明に戻る。情報端末１０１のＣＰＵ２０２は、タグ情報待機画面Ｅの表示処理（ステップＳ２０７）の後、タグ情報の受信判定に待機する（ステップＳ２０８）。つまり、商品である衣類には、その商品を特定する商品コードを記憶するＲＦＩＤチップを内蔵する商品タグが付されている。そこで、ＲＦＩＤリーダライタ２１０が商品タグから商品コードを読み取って出力すると、ＣＰＵ２０２は、タグ情報の受信を判定する（ステップＳ２０８のＹ）。続いて、ＣＰＵ２０２は、受信した商品コードと同一の商品ＩＤを図１０に示すコーディネート情報エリア２１７から検索し（ステップＳ２０９）、商品別コーディネート一覧画面Ｆ（図２２参照）を液晶ディスプレイ１０３に表示出力する（ステップＳ２１０）。つまり、ステップＳ２０９でコーディネート情報エリア２１７から検索された商品ＩＤが記録されている全てのコーディネートＩＤを図１０に示すコーディネート情報エリア２１７から検索取得し、これらのコーディネートＩＤによって特定される商品別コーディネート一覧画面Ｆ（図２２参照）を表示する。
【００８３】
図２２は、情報端末１０１の液晶ディスプレイ１０３に表示される商品別コーディネート一覧画面Ｆの一例を示す模式図である。商品別コーディネート一覧画面Ｆは、タグ情報待機画面Ｅを基礎として、商品名表示欄Ｅ２にステップＳ２０８で受信判定した商品コードに基づいて図５に示す商品マスタエリア２１２から検索される商品名称が表示されている。図２２に示す一例では、商品名表示欄Ｅ２に表示されている商品名から、「ブラックジーンズ」という商品が選択されていることが分かる。また、タグ情報待機画面ＥのメッセージＥ１に換えて商品別コーディネート一覧画像Ｆ１が表示されている。更に、「商品タグで検索」と表示されている商品タグ選択ボタンＦ２が表示され、「在庫確認」と表示されている在庫確認ボタンＦ３が表示されている。その他の部分は、タグ情報待機画面Ｅの表示と同一なので、図２２の商品別コーディネート一覧画面Ｆ中、タグ情報待機画面Ｅと同一部分は同一の表示符号をそのまま用い、説明も省略する。
【００８４】
ここで、商品別コーディネート一覧画面Ｆの商品別コーディネート一覧画像Ｆ１として表示されるコーディネート写真は、図１０に示すコーディネート情報エリア２１７の利用範囲に記録されている定義に従って表示される。例えば、コーディネート情報エリア２１７中のコーディネートＩＤによって特定されるコーディネートの利用範囲ＩＤがＢ又はＣとして定義されている場合には、その利用範囲は自他いずれの店舗Ｓでも良いとの定義なので（図８参照）、自他いずれの店舗Ｓにおいても商品別コーディネート一覧画像Ｆ１としてコーディネート写真が表示されることになる。これに対して、コーディネートＩＤによって特定されるコーディネートの利用範囲ＩＤがＡとして定義されている場合には、その利用範囲は自店舗内での利用との定義なので（図８参照）、コーディネートＩＤに紐付けされている店員の自店舗Ｓでのみ商品別コーディネート一覧画像Ｆ１としてコーディネート写真が表示されることになる。
【００８５】
図１９に示すフローチャートの説明に戻る。情報端末１０１のＣＰＵ２０２は、商品別コーディネート一覧画面Ｆの表示処理（ステップＳ２１０）の後、コーディネート選択の有無判定（ステップＳ２１１）、在庫確認指定の有無判定（ステップＳ２１２）に待機する。
【００８６】
コーディネート選択は、商品別コーディネート一覧画面Ｆに表示されているコーディネート写真のタッチ指定によってなされる。つまり、商品別コーディネート一覧画像Ｆ１に一覧表示されているコーディネート写真は、図９に示すメタ画像蓄積エリア２１６のバイナリデータに基づくものであるので、メタ画像蓄積エリア２１６を参照することで、そのバイナリデータと対応付けられている画像ＩＤが分かり、画像ＩＤが分かれば、図１０に示すコーディネート情報エリア２１７を参照することでコーディネートＩＤが分かる。したがって、商品別コーディネート一覧画像Ｆ１に表示されている特定のコーディネート写真がタッチ指定されると、これに紐付けられているコーディネートＩＤが判明する。そこで、情報端末１０１のＣＰＵ２０２は、判明したコーディネートＩＤに対応するコーディネート画像を含むコーディネート画面Ｇを液晶ディスプレイ１０３に表示する（ステップＳ２０６）。
【００８７】
在庫確認指定は、在庫確認ボタンＦ３のタッチ指定によってなされる。つまり、在庫確認ボタンＦ３は指定コマンドのオブジェクトとして表示されており、タッチパネル１０５上で在庫確認ボタンＦ３がタッチ指定されると、在庫確認処理が実行される（ステップＳ２１３）。在庫確認処理については、図２４ないし図２８に基づいて後述する。
【００８８】
三つ目の検索の仕方は、カテゴリ選択ボタンＤ４をタッチ指定することで開始される商品である衣類のカテゴリに基づく検索である。情報端末１０１のＣＰＵ２０２は、画像選択を判定せず（ステップＳ２０３のＮ）、かつ、商品タグ検索の指定を判定しない間に（ステップＳ２０４のＮ）、カテゴリ検索の指定を判定すると（ステップＳ２０５のＹ）、カテゴリ選択処理を実行する（ステップＳ２１４）。カテゴリ選択処理は、コーディネート一覧画面Ｄ中のカテゴリ選択ボタンＤ４、又は、タグ情報待機画面Ｅ若しくは商品別コーディネート一覧画面Ｆ中のカテゴリ選択ボタンＥ４のタッチ指定によって開始され、図５に示す商品マスタエリア２１２で定義されているカテゴリに従い、カテゴリ別にコーディネート一覧画像（図示せず）を表示し、このコーディネート一覧画像中のコーディネート写真から特定のコーディネート画像を選択する処理である。カテゴリ選択処理については、その詳細説明を省略する。
【００８９】
図２３は、情報端末１０１の液晶ディスプレイ１０３に表示されるコーディネート画面Ｇの一例を示す模式図である。コーディネート画面Ｇには、コーディネート画像を表示するコーディネート画像表示エリアＧ１、店員情報表示エリアＧ２、コメント表示エリアＧ３、商品情報表示エリアＧ４という表示領域が確保されている。これらの表示領域には、図１０に示すコーディネート情報エリア２１７から検索される情報が表示される。つまり、コーディネート画像表示エリアＧ１には、コーディネート情報エリア２１７の画像ＩＤに基づいて図９に示すメタ画像蓄積エリア２１６から検索されるバイナリデータに基づく画像表示がなされる。また、店員情報表示エリアＧ２には、コーディネート情報エリア２１７の店員情報に記録されている店員名及び店舗名（テキストデータ）が表示される。コメント表示エリアＧ３には、コーディネート情報エリア２１７のコメントに記録されているテキスト情報が表示される。商品情報表示エリアＧ４には、コーディネート情報エリア２１７のアイテム情報に記録されている商品名等（テキストデータ）が表示される。
【００９０】
コーディネート画面Ｇには、在庫確認ボタンＧ５、戻るボタンＧ６、及びログアウトボタンＧ７も表示されている。
【００９１】
ここで、コーディネート画面Ｇのコーディネート画像表示エリアＧ１に表示されるコーディネート写真は、図１０に示すコーディネート情報エリア２１７の利用範囲に記録されている定義に従って表示される。例えば、コーディネート情報エリア２１７中のコーディネートＩＤによって特定されるコーディネートの利用範囲ＩＤがＢ又はＣとして定義されている場合には、その利用範囲は自他いずれの店舗Ｓでも良いとの定義なので（図８参照）、コーディネート画像表示エリアＧ１には、自他いずれの店舗Ｓにおいてもコーディネート写真が表示されることになる。これに対して、コーディネートＩＤによって特定されるコーディネートの利用範囲ＩＤがＡとして定義されている場合には、その利用範囲は自店舗内での利用との定義なので（図８参照）、コーディネート画像表示エリアＧ１には、コーディネートＩＤに紐付けされている店員の自店舗Ｓでのみコーディネート写真が表示されることになる。
【００９２】
また、コーディネート画面Ｇの商品情報表示エリアＧ４に表示されている商品名等（テキストデータ）は、個々に、タッチパネル１０５によってタッチ指定可能なオブジェクトとして表示されている。つまり、図２３に示す一例では、「ＳＵＲＦ  ＢＥＡＴ  ＺＩＰ  パーカー」という品名の商品と「Ｔシャツ」という品名の商品とが表示されている。これらの品名表示は、個々にタッチパネル１０５によってタッチ指定可能なオブジェクトである。したがって、「ＳＵＲＦ  ＢＥＡＴ  ＺＩＰ  パーカー」と「Ｔシャツ」とを独立して選択指定することができる。
【００９３】
図１９に示すフローチャートの説明に戻る。情報端末１０１のＣＰＵ２０２は、コーディネート画面Ｇを液晶ディスプレイ１０３に表示する処理（ステップＳ２０６）の実行後、在庫確認指定の有無判定に待機する（ステップＳ２１５）。在庫確認指定は、コーディネート画面Ｇの商品情報表示エリアＧ４に商品名等が表示されている商品をタッチパネル１０５でのタッチ指定によって選択指定した後の在庫確認ボタンＧ５のタッチ指定によってなされる。つまり、在庫確認ボタンＧ５は指定コマンドのオブジェクトとして表示されており、タッチパネル１０５上で在庫確認ボタンＧ５がタッチ指定されると、在庫確認処理が実行される（ステップＳ２１６）。在庫確認処理については、図２４ないし図２８に基づいて後述する。
【００９４】
情報端末１０１のＣＰＵ２０２は、図１９のフローチャートに示す処理とは別ルーチンで、イベント監視ルーチンをマルチタスク処理によって実行している。このイベント監視ルーチンでは、図２０に示すコーディネート一覧画面Ｄ中の戻るボタンＤ５又はログアウトボタンＤ６、図２１に示すタグ情報待機画面Ｅ及び図２２に示す商品別コーディネート一覧画面Ｆ中の戻るボタンＥ５又はログアウトボタンＥ６、図２３に示すコーディネート画面Ｇ中の戻るボタンＧ６又はログアウトボタンＧ７のタッチ指定の有無というイベントを監視している。そして、ＣＰＵ２０２は、それらのイベントを判定すると、対応する処理を実行する。したがって、図１９に示すフローチャートの処理は、ログアウトボタンＤ６、Ｅ６、Ｇ７のタッチ指定によって終了する。
【００９５】
図２４は、自店舗在庫の確認処理の流れを示すフローチャートである。図２４に示すフローチャートの処理は、図１９のフローチャート中のステップＳ２１３及びステップＳ２１６の在庫確認処理の詳細を示している。つまり、情報端末１０１のＣＰＵ２０２は、在庫確認処理として、まず、図１９のフローチャート中のステップＳ２０１で実行されたログイン処理が、店員によるログインだったのか顧客によるログインだったのかが判定される（ステップＳ２５１）。この判定は、前述したように、図６に示す店員マスタエリア２１３に記憶されている店員ＩＤ（店員コード）と図７に示す顧客マスタエリア２１４に記憶されている顧客ＩＤ（顧客コード）とが別のコード体系として定義されていることから、容易に実行可能である。つまり、識別コード（店員コード及び顧客コード）を参照することで、店員がログインしたのか顧客がログインしたのかを容易に識別することができる。
【００９６】
ついで、情報端末１０１のＣＰＵ２０２は、図１９のフローチャート中のステップＳ２０１で実行されたログイン処理が店員によるログインであったと判定した場合には（ステップＳ２５１のＹ）、後述するステップＳ２５４の処理に進み、顧客によるログインであったと判定した場合には（ステップＳ２５１のＮ）、図１１に示す表示規制設定エリア２１８ｂの設定情報を参照する（ステップＳ２５２）。つまり、ＣＰＵ２０２は、その計時機能によって現在の日時情報を取得し、現在日時が表示規制設定エリア２１８ｂ−１で定義されている日及び時間帯に含まれているかどうかを判定し（ステップＳ２５２）、含まれていないと判定した場合には（ステップＳ２５２のＮ）、緊急繁忙フラグ２１８ｂ−２にフラグ設定がなされているかどうかを判定する（ステップＳ２５３）。
【００９７】
情報端末１０１のＣＰＵ２０２は、現在日時が表示規制設定エリア２１８ｂ−１で定義されている日及び時間帯に含まれておらず（ステップＳ２５２のＮ）、緊急繁忙フラグ２１８ｂ−２にフラグ設定がなされていない（ステップＳ２５３のＮ）と判定した場合には、ビデオコントローラ２０７を制御し、液晶ディスプレイ１０３の表示面１０４に図２６に例示するような自店舗在庫画面Ｈａを表示出力する（ステップＳ２５４）。自店舗在庫画面Ｈａは、図１１に示す在庫管理マスタエリア２１８ａ中、商品ＩＤで特定される商品に対応させて記憶保存されている自店舗在庫の情報に基づいて生成され表示される。この場合の商品ＩＤ（商品コード）によって特定される商品は、図１９のフローチャート中のステップＳ２１３で実行される在庫確認処理の場合、図２２に示す商品別コーディネート一覧画面Ｆで示されている商品（この場合にはブラックジーンズ）である。これに対して、図１９のフローチャート中のステップＳ２１６で実行される在庫確認処理では、図２３に示すコーディネート画面Ｇの商品情報表示エリアＧ４上でタッチ指定された商品である。
【００９８】
図２６は、自店舗在庫画面Ｈａの一例を示す模式図である。図２６中、商品在庫一覧Ｈ１には、図１１に示す在庫管理マスタエリア２１８ａ中、商品ＩＤで特定される商品に対応させて記憶保存されている自店舗在庫の情報が表示される。図２６中、「商品Ａ」、「商品Ｂ」、「商品Ｃ」、「商品Ｄ」と表記されているのは、同一商品についての色違いを示している。また、「Ｓ」「Ｍ」「Ｌ」と表記されているのは、同一商品についてのサイズ違いを示している。そして、「×」は在庫がないことを、「△」は在庫が残り少ないことを、「○」は在庫が十分にあることを、それぞれ示している。
【００９９】
また、自店舗在庫画面Ｈａ中には、他店舗在庫確認ボタンＨ２、商品詳細ボタンＨ３、戻るボタンＨ４、及びログアウトボタンＨ５がタッチパネル１０５によってタッチ指定可能なコマンドオブジェクトとして表示されている。
【０１００】
図２４に示すフローチャートの説明に戻る。情報端末１０１のＣＰＵ２０２は、現在日時が表示規制設定エリア２１８ｂ−１で定義されている日及び時間帯に含まれていると判定するか（ステップＳ２５２のＹ）、緊急繁忙フラグ２１８ｂ−２にフラグ設定がなされていると判定した場合（ステップＳ２５３のＹ）、ビデオコントローラ２０７を制御し、液晶ディスプレイ１０３の表示面１０４に図２７に例示するような自店舗在庫画面Ｈｂを表示出力する（ステップＳ２５５）。自店舗在庫画面Ｈｂは、基本的には図２６に例示した自店舗在庫画面Ｈａに共通する。相違する点は、図２６に例示する自店舗在庫画面Ｈａには表示されていた他店舗在庫確認ボタンＨ２が表示されないという点である。つまり、図２７に例示する自店舗在庫画面Ｈｂは、図１１に示す表示規制設定エリア２１８ｂの定義に従った他店舗在庫画面Ｉ（図２８参照）の表示規制がなされている。
【０１０１】
図２７は、他店舗在庫画面Ｉの表示規制がなされている自店舗在庫画面Ｈｂの一例を示す模式図である。図２７に示されているように、自店舗在庫画面Ｈｂには、図２６に示す自店舗在庫画面Ｈａには表示されている他店舗在庫確認ボタンＨ２が表示されていない。
【０１０２】
図２４に示すフローチャートの説明に戻る。情報端末１０１のＣＰＵ２０２は、自店舗在庫画面Ｈａ又は自店舗在庫画面Ｈｂを液晶ディスプレイ１０３の表示面１０４に表示した後（ステップＳ２５４又はステップＳ２５５）、ボタンのタッチ指定の有無の判定に待機する（ステップＳ２５６）。つまり、ステップＳ２５６では、図２６に例示する自店舗在庫画面Ｈａ中の他店舗在庫確認ボタンＨ２、商品詳細ボタンＨ３、戻るボタンＨ４、又はログアウトボタンＨ５のいずれかがタッチ指定されたかどうか、あるいは、図２７に例示する自店舗在庫画面Ｈｂ中の商品詳細ボタンＨ３、戻るボタンＨ４、又はログアウトボタンＨ５のいずれかがタッチ指定されたかどうかが判定される。そして、情報端末１０１のＣＰＵ２０２は、その判定の結果、それらのいずれかのボタンＨ２〜Ｈ５のタッチ指定を認識すると（ステップＳ２５６のＹ）、対応する処理を実行し（ステップＳ２５７）、処理を終了する。
【０１０３】
図２５は、他店舗在庫の確認処理の流れを示すフローチャートである。この処理は、情報端末１０１のＣＰＵ２０２が、図２４に示すフローチャート中のステップＳ２５６で、他店舗在庫確認ボタンＨ２がタッチ指定されたと判定した場合（ステップＳ２５６のＹ）にステップＳ２５７で実行される処理の詳細である。他店舗在庫確認ボタンＨ２は、図２６に示す自店舗在庫画面Ｈａにのみ表示され、図２７に示す自店舗在庫画面Ｈｂには表示されない。したがって、図２５に示す処理は、自店舗在庫画面Ｈａが表示された場合にのみ実行されることになる。
【０１０４】
図２５に示すように、情報端末１０１のＣＰＵ２０２は、自店舗在庫画面Ｈａ上で他店舗在庫確認ボタンＨ２がタッチ指定されたと判定すると、ビデオコントローラ２０７を制御し、液晶ディスプレイ１０３の表示面１０４に図２８に例示する他店舗在庫画面Ｉを表示出力する（ステップＳ２７１）。
【０１０５】
図２８は、他店舗在庫画面Ｉの一例を示す模式図である。図２８中、他店舗商品在庫一覧Ｉ１には、図１１に示す在庫管理マスタエリア２１８ａ中、商品ＩＤで特定される商品に対応させて記憶保存されている他店舗在庫の情報が表示される。他店舗商品在庫一覧Ｉ１は、自店舗在庫画面Ｈａで示されていた商品Ａ〜商品Ｄの各サイズについて、個々の店舗での在庫の有無を示している。図２８中、「商品Ｃ」の表記は、図２６に示す自店舗在庫画面Ｈａに表示されている「商品Ｃ」についての他店舗での在庫を示していることを意味している。「〜店」と表記されているのは店舗である。「Ｓ」「Ｍ」「Ｌ」と表記されているのはサイズ違いである。そして、「×」は在庫がないことを、「△」は在庫が残り少ないことを、「○」は在庫が十分にあることを、それぞれ示している。
【０１０６】
また、他店舗在庫画面Ｉ中には、スクロールボタンＩ２、戻るボタンＩ３、及びログアウトボタンＩ４がタッチパネル１０５によってタッチ指定可能なコマンドオブジェクトとして表示されている。
【０１０７】
図２５に示すフローチャートの説明に戻る。情報端末１０１のＣＰＵ２０２は、他店舗在庫画面Ｉを液晶ディスプレイ１０３の表示面１０４に表示した後（ステップＳ２７１）、ボタンのタッチ指定の有無の判定に待機する（ステップＳ２７２）。つまり、ステップＳ２７２では、図２８に例示する他店舗在庫画面Ｉ中のスクロールボタンＩ２、戻るボタンＩ３、又はログアウトボタンＩ４のいずれかがタッチ指定されたかどうかが判定される。そして、情報端末１０１のＣＰＵ２０２は、その判定の結果、それらのいずれかのボタンＩ２〜Ｉ４のタッチ指定を認識すると（ステップＳ２７２のＹ）、対応する処理を実行し（ステップＳ２７３）、処理を終了する。
【０１０８】
（データ送受信フェーズ）
データ送受信フェーズについて簡単に説明する。
【０１０９】
前述したように、データ送受信フェーズでは、コーディネート情報登録フェーズで店員によって登録されたコーディネート情報を個々の店舗Ｓと本部Ｈとの間で送受信する。これにより、本部Ｈに設置されているホストコンピュータ１１には、全ての店舗Ｓにおいて情報端末１０１で生成された各種の情報が集積され、情報管理が可能となる。
【０１１０】
また、データ送受信フェーズでは、個々の店舗ＳのＰＯＳ端末１５１によって発生した売上データを本部Ｈのホストコンピュータ１１に送信する。本部Ｈのホストコンピュータ１１では、個々の店舗Ｓから集めた上記売上データを記憶保存して管理すると共に、その売上データに基づいて各店舗Ｓの在庫情報を生成する。そして、生成した在庫情報を個々の店舗Ｓの情報端末１０１に送信する。これにより、各店舗Ｓの在庫情報を他の全ての店舗Ｓでも共有可能となる。
【０１１１】
（本実施の形態のシステムによる作用効果）
本実施の形態のシステムによれば、図１１（ｃ）に示す表示規制設定エリア２１８ｂに記憶されている他の店舗Ｓでの在庫情報の閲覧可否の定義（繁忙時定義２１８ｂ−１、緊急繁忙フラグ２１８ｂ−２）に従い、ある商品の他の店舗Ｓでの在庫情報を含む他店舗在庫画面Ｉの閲覧制限を行なうことができるようにしたので、繁忙期であっても、コーディネート情報を提供するための情報端末１０１が特定の顧客に独占されてしまったり、そのような情報端末１０１を利用するための待ち時間が長時間化してしまったりすることを防止することができる。したがって、顧客にコーディネート情報を提供するための情報端末１０１の利用回転率を向上させることができる。
すなわち、他店舗での在庫情報の閲覧可否の定義に従い、ある商品の他店舗での在庫情報を含む他店舗在庫画面の閲覧制限を行なうことができるようにしたので、上記閲覧可否を例えば店舗の繁忙期として定義することで、繁忙期であっても、コーディネート情報を提供するための端末が特定の顧客に独占されてしまったり、そのような端末を利用するための待ち時間が長時間化してしまったりすることを防止することができ、したがって、顧客にコーディネート情報を提供するための端末の利用回転率を向上させることができる。
【符号の説明】
【０１１２】
１０３…液晶ディスプレイ（表示部）、１０５…タッチパネル（操作入力部）、２１０…ＲＦＩＤリーダライタ（無線通信部）、２１３…店員マスタエリア（ログインテーブル）、２１４…顧客マスタエリア（ログインテーブル）、２１６…メタ画像蓄積エリア（コーディネートデータベース）、２１７…コーディネート情報エリア（コーディネートデータベース）、２１８ａ…在庫管理マスタエリア（在庫データベース）、２１８ｂ…表示規制設定エリア（他店舗での在庫情報の閲覧可否の定義）、Ｆ…商品別コーディネート一覧画面、Ｇ…コーディネート画面、Ｈａ…自店舗在庫画面、Ｈｂ…自店舗在庫画面、Ｉ…他店舗在庫画面。
【先行技術文献】
【特許文献】
【０１１３】
【特許文献１】特開２００５−０９９８９１号公報
【図１】
2011253569.tif 000003
【図２】
2011253569.tif 000004
【図３】
2011253569.tif 000005
【図４】
2011253569.tif 000006
【図５】
2011253569.tif 000007
【図６】
2011253569.tif 000008
【図７】
2011253569.tif 000009
【図８】
2011253569.tif 000010
【図９】
2011253569.tif 000011
【図１０】
2011253569.tif 000012
【図１１】
2011253569.tif 000013
【図１２】
2011253569.tif 000014
【図１３】
2011253569.tif 000015
【図１４】
2011253569.tif 000016
【図１５】
2011253569.tif 000017
【図１６】
2011253569.tif 000018
【図１７】
2011253569.tif 000019
【図１８】
2011253569.tif 000020
【図１９】
2011253569.tif 000021
【図２０】
2011253569.tif 000022
【図２１】
2011253569.tif 000023
【図２２】
2011253569.tif 000024
【図２３】
2011253569.tif 000025
【図２４】
2011253569.tif 000026
【図２５】
2011253569.tif 000027
【図２６】
2011253569.tif 000028
【図２７】
2011253569.tif 000029
【図２８】
2011253569.tif 000030